(57)【要約】【課題】照明装置に光源の熱破壊を生じる問題が発生した場合であっても、照明光の瞬間的な暗転も含め、照明光が全消失してしまう危険を低減できる照明装置を提供すること。【解決手段】物の内部に挿入される光ファイバー６に照明光を入射させる照明装置１において、複数の光源（ＬＥＤ５Ｒ，５Ｇ，５Ｂ）と、複数の光源から発光された光を合成する平行四辺形プリズム２７を有し、この平行四辺形プリズム２７から出射した合成光を光ファイバー６に入射させる照明光学系３と、複数の光源（ＬＥＤ５Ｒ，５Ｇ，５Ｂ）を複数の組みに分け、各組み毎に対して備えられる第１の冷却流路４０と第２の冷却流路４２と、複数の冷却流路毎に対して備えられる第１の冷却ファン１０と、第２の冷却ファン１１を有すること。【選択図】図５
2016122496.tif 000002
【特許請求の範囲】
【請求項１】
物の内部に挿入される光ファイバーに照明光を入射させる照明装置において、
複数の光源と、
前記複数の光源から発光された光を合成する光合成光学系を有し、この光合成光学系から出射した合成光を前記光ファイバーに入射させる照明光学系と、
前記複数の光源を複数の組みに分け、各組み毎に対して備えられる冷却流路と、
前記複数の冷却流路毎に対して備えられる冷却ファンと、
を有することを特徴とする照明装置。
【請求項２】
請求項１に記載の照明装置において、
前記複数の光源についてそれぞれの温度を検出する温度センサーと、前記冷却ファンについてそれぞれの回転情報を検出する回転センサーとの少なくとも一方を備え、
前記温度センサーにより検出される温度と、前記回転センサーにより検出される前記冷却ファンの回転情報との少なくとも一方に基づいて、前記複数の光源それぞれの光量を調整する光量調整手段と、
を有することを特徴とする照明装置。
【請求項３】
請求項１に記載の照明装置において、
前記複数の光源についてそれぞれの温度を検出する温度センサーと、前記冷却ファンについてそれぞれの回転情報を検出する回転センサーとの少なくとも一方を備え、
前記温度センサーにより検出される温度と、前記回転センサーにより検出される前記冷却ファンの回転情報との少なくとも一方に基づいて、前記複数の冷却流路毎に前記光源の光量を調整する光量調整手段と、
を有することを特徴とする照明装置。
【請求項４】
請求項１から３のいずれか１項に記載の照明装置において、
前記複数の光源は、赤色光を発光する赤色ＬＥＤと緑色光を発光する緑色ＬＥＤと青色光を発光する青色ＬＥＤであり、
前記複数の組みは、前記緑色ＬＥＤと前記青色ＬＥＤとの第１の組みと、赤色ＬＥＤの第２の組みであり、
前記赤色ＬＥＤに対して備えられる冷却流路内に電源が配置されている、
ことを特徴とする照明装置。
【請求項５】
請求項４に記載の照明装置において、
前記赤色ＬＥＤ、前記緑色ＬＥＤ、前記青色ＬＥＤ、前記電源および前記照明光学系が収納される筐体を有し、
前記筐体内には、前記第１の組みに備えられる放熱部が配置される第１の冷却流路と、前記第２の組みに備えられる放熱部および前記電源が配置される第２の冷却流路とが形成され、
前記第１の冷却流路は、前記照明光学系に対して前記ファイバー取付部が配置される側を前側としたとき、前記筐体の側面の外部と前記筐体の後面の外部とを連通するように前記照明光学系の後側に配置され、
前記第２の冷却流路は、前記第１の冷却流路の前側および側方を通り前記側面の外部と前記後面の外部とを連通するように配置され、
前記筐体の後面には、前記第１の冷却流路に対して備えられる第１の冷却ファンと、前記第２の冷却流路に対して備えられる第２の冷却ファンとが備えられ、
前記筐体の側面には、前記第１の冷却流路に対して配置される吸気用の第１の開口部と、前記第２の冷却流路に対して配置される第２の開口部とが備えられる、
ことを特徴とする照明装置。
【発明の詳細な説明】
【技術分野】
【０００１】
本発明は、照明装置に関する。
【背景技術】
【０００２】
従来より、身体内等の物の内部に挿入される光ファイバーの先端から照明光が出射するように、光ファイバーに後端から光を入射させることができる照明装置が知られている。このような照明装置においては、物の内部を照明している際に、光源の熱破壊等の光源の異常な消灯による照明光の消失を防ぐため、予備光源を備える構成が開示されている（特許文献１，２，３参照）。また、ファンの停止に起因した光源の熱破壊を防止するため、ファンの停止を検出した場合に、光源を消灯する構成が開示されている（特許文献４参照）。
【先行技術文献】
【特許文献】
【０００３】
【特許文献１】特開昭５８−７５５２１号
【特許文献２】特開２００４−１８７９８６号
【特許文献３】国際公開２０１４−０３８３５２号
【特許文献４】特開平９−１６８５１１号
【発明の概要】
【発明が解決しようとする課題】
【０００４】
しかしながら、特許文献１から３に開示される構成の場合、主光源が異常消灯した場合に予備光源に置き換えるための構成を備える必要がある。そのため、照明装置の構成が複雑になり、また、主光源から予備光源への切り替え時に視界が一瞬暗転してしまうことがある。視界が一瞬でも暗転すると、この暗転時に観察対象を見失う虞がある。また、特許文献４に開示される構成の場合、光源の熱破壊を防止することはできるが、そもそも光源自体が消灯してしまうため、照明光が全く失われてしまうという問題がある。そこで、本発明は、照明装置に光源の熱破壊を誘起する問題が発生した場合であっても、照明光の瞬間的な暗転も含め、照明光が全消失してしまう危険を低減できる照明装置を提供することを目的とする。
【課題を解決するための手段】
【０００５】
上記課題を解決するため、物の内部に挿入される光ファイバーに照明光を入射させる照明装置において、複数の光源と、複数の光源から発光された光を合成する光合成光学系を有し、この光合成光学系から出射した合成光を光ファイバーに入射させる照明光学系と、複数の光源を複数の組みに分け、各組み毎に対して備えられる冷却流路と、複数の冷却流路毎に対して備えられる冷却ファンとを有することとする。
【０００６】
上記発明において、複数の光源についてそれぞれの温度を検出する温度センサーと、冷却ファンについてそれぞれの回転情報を検出する回転センサーとの少なくとも一方を備え、温度センサーにより検出される温度と、回転センサーにより検出される冷却ファンの回転情報との少なくとも一方に基づいて、複数の光源それぞれの光量を調整する光量調整手段とを有することとする。
【０００７】
上記発明において、複数の光源についてそれぞれの温度を検出する温度センサーと、冷却ファンについてそれぞれの回転情報を検出する回転センサーとの少なくとも一方を備え、温度センサーにより検出される温度と、回転センサーにより検出される冷却ファンの回転情報との少なくとも一方に基づいて、複数の冷却流路毎に光源の光量を調整する光量調整手段とを有することとする。
【０００８】
上記発明において、複数の光源は、赤色光を発光する赤色ＬＥＤと緑色光を発光する緑色ＬＥＤと青色光を発光する青色ＬＥＤであり、複数の組みは、緑色ＬＥＤと青色ＬＥＤとの第１の組みと、赤色ＬＥＤの第２の組みであり、赤色ＬＥＤに対して備えられる冷却流路内に電源が配置されていることとする。
【０００９】
上記発明において、赤色ＬＥＤ、緑色ＬＥＤ、青色ＬＥＤ、電源および照明光学系が収納される筐体を有し、筐体内には、第１の組みに備えられる放熱部が配置される第１の冷却流路と、第２の組みに備えられる放熱部および電源が配置される第２の冷却流路とが形成され、第１の冷却流路は、照明光学系に対してファイバー取付部が配置される側を前側としたとき、筐体の側面の外部と筐体の後面の外部とを連通するように照明光学系の後側に配置され、第２の冷却流路は、第１の冷却流路の前側および側方を通り側面の外部と後面の外部とを連通するように配置され、筐体の後面には、第１の冷却流路に対して備えられる第１の冷却ファンと、第２の冷却流路に対して備えられる第２の冷却ファンとが備えられ、筐体の側面には、第１の冷却流路に対して配置される吸気用の第１の開口部と、第２の冷却流路に対して配置される第２の開口部とが備えられることとする。
【００１０】
上記発明において、第１の冷却流路は、側面から青色ＬＥＤの放熱部および緑色ＬＥＤの放熱部が配置される方向に進むに従って、後方から前方に向かって流路の前後方向の幅が狭くなる縮小部を有することとする。
【００１１】
上記発明において、照明光学系は光の入射部および出射部を除きカバーに覆われ、カバーの前面と筐体の前面パネルの背面との間には空間が形成されていることとする。
【００１２】
上記発明において、カバーの上面の後端縁には、上方に突出する隔壁が設けられていることとする。
【００１３】
上記発明において、カバーの上面の赤色ＬＥＤの配置される側の側端縁には、赤色ＬＥＤに備えられる放熱部の幅に亘って上方に突出する隔壁が設けられていることとする。
【発明の効果】
【００１４】
本発明によれば、光源の熱破壊を防止しつつ、照明の消失や視界の暗転を防止できる照明装置を提供することができる。
【図面の簡単な説明】
【００１５】
【図１】照明装置の内部の構造を上方から見た図である。
【図２】照明装置の内部の構造を前方右斜め上方から見た図である。
【図３】照明装置の内部の構造を後方左斜め上方から見た図である。
【図４】照明装置の電気的な構成を示すブロック図である。
【図５】図１から３に示す照明装置のファイバー取付部の構造を示す図である。
【発明を実施するための形態】
【００１６】
（照明装置１の概略構成）
以下、本発明の実施の形態にかかる照明装置１ついて図面を参照しながら説明する。以下の説明において、照明装置１を構成する筐体２に備えられる操作パネル２Ａが配置される側を前側（前方：矢示Ｘ１）とし、その反対側を後側（後方：矢示Ｘ２）、後側から前側に向かって左手側を左側（左方：矢示Ｙ１）、その反対側を右側（右方：矢示Ｙ２）として説明する。そして、照明装置１が設置される側を下側（下方：矢示Ｚ１）とし、その反対側を上側（上方：矢示Ｚ２）として説明する。
【００１７】
図１は、照明装置の内部の構造を上方から見た図である。図２は、照明装置の内部の構造を前方右斜め上方から見た図である。図３は、照明装置の内部の構造を後方左斜め上方から見た図である。図４は、照明装置の電気的な構成を示すブロック図である。
【００１８】
照明装置１は、筐体２と、筐体２内に収容される、照明光学系３と、照明光学系３を覆うカバー４と、赤色光を発光する赤色ＬＥＤとしてのＬＥＤ５Ｒと、緑色光を発光する緑色ＬＥＤとしてのＬＥＤ５Ｇと、青色光を発光する青色ＬＥＤとしてのＬＥＤ５Ｂと、光ファイバー６を筐体２に取り付けるファイバー取付部７と、電源８と、回路部９と、第１の冷却ファン１０と、第２の冷却ファン１１とを有する。
【００１９】
図４に示すように、照明装置１は、各ＬＥＤ５Ｒ，５Ｇ，５Ｂの温度をそれぞれ検出する温度センサー１２Ｒ，１２Ｇ，１２Ｂと、各冷却ファンの回転をそれぞれ検出する冷却ファン回転検出センサー１３Ａ，１３Ｂと、各ＬＥＤ５Ｒ，５Ｇ，５Ｂおよび各冷却ファンの駆動を制御する制御部であるマイクロコンピュータ１４とを有する。
【００２０】
各ＬＥＤ５Ｒ，５Ｇ，５Ｂには、それぞれＬＥＤドライバー１５Ｒ，１５Ｇ，１５Ｂが備えられ、各ＬＥＤドライバー１５Ｒ，１５Ｇ，１５Ｂは、Ｄ／Ａコンバーター（デジタル−アナログコンバーター）２２を介してマイクロコンピュータ１４により制御される。
【００２１】
照明装置１は、ＥＥＰＲＯＭ（Ｅｌｅｃｔｒｉｃａｌｌｙ  ＥｒａｓａｂｌｅＰｒｏｇｒａｍｍａｂｌｅ  Ｒｅａｄ−Ｏｎｌｙ  Ｍｅｍｏｒｙ）１６を備え、照明装置１に関する所定の情報が記憶される。また、照明装置１は、ＡＣ（交流）インレット１７と、電源スイッチ１８とを有する。電源スイッチ１８のオン操作により、ＡＣインレット１７からの交流電流が電源８から１２Ｖと５Ｖの直流電流として出力される。照明装置１は、光量レベルメータ１９と、光量調整スイッチ２０と、点灯スイッチ２１と、Ｄ／Ａコンバーター２２を有する。
【００２２】
筐体２は、操作パネル２Ａと、左側板２Ｂと、右側板２Ｃと、後板２Ｄと、底板２Ｅとを有する。図１，２は、筐体２の上蓋（不図示）が取り外された状態を示している。操作パネル２Ａは、筐体２の前面に配置され、図２に示すように、電源スイッチ１８、光量レベルメータ１９、光量調整スイッチ２０および点灯スイッチ２１等が備えられている。右側板２Ｃには、第１の開口部２３および第２の開口部２４が形成されている。第１の開口部２３は、第２の開口部２４の後方、すなわち後板２Ｄ側に配置されている。後板２Ｄには、第１の冷却ファン１０および第２の冷却ファン１１が備えられている。また、後板２Ｄには、ＡＣインレット１７が備えられている。第１の冷却ファン１０は、第２の冷却ファン１１の右側、すなわち右側板２Ｃ側に配置されている。
【００２３】
本実施の形態に係る照明装置１のファイバー取付部７は、操作パネル２Ａに取り付けられ、筐体２の左右方向の中心Ｙ０に対して全体として右側に偏倚した位置に配置されている。照明光学系３は、ファイバー取付部７の配置に対応させて、中心Ｙ０に対して全体として右側に偏倚した位置であって、かつ、前後の中心Ｘ０に対して全体として前側に偏倚した位置に配置されている。そして、筐体２の中心Ｙ０に対して全体として左側に偏倚した位置に、電源８および回路部９が配置されている。
【００２４】
（照明光学系３の構成）
照明光学系３は、コリメートレンズ２５Ｒ，２５Ｇ，２５Ｂと、ダイクロイックミラー２６Ａ，２６Ｂが形成される光合成光学系としての平行四辺形プリズム２７と、集光レンズ２８とを有する。ダイクロイックミラー２６Ａは、赤色光を透過し緑色光を反射する分光特性を有する。ダイクロイックミラー２６Ｂは、赤色光を反射し青色光を透過する分光特性を有する。ダイクロイックミラー２６Ａ，２６Ｂと各ＬＥＤ５Ｒ，５Ｇ，５Ｂとは、各ＬＥＤ５Ｒ，５Ｇ，５Ｂから出射した各色の光を一つの光束に合成し集光レンズ２８に出射できる配置となっている。
【００２５】
コリメートレンズ２５Ｒは、ＬＥＤ５Ｒとダイクロイックミラー２６Ａとの間に配置される。コリメートレンズ２５Ｇは、ＬＥＤ５Ｇとダイクロイックミラー２６Ａとの間に配置される。コリメートレンズ２５Ｂは、ＬＥＤ５Ｂとダイクロイックミラー２６Ｂとの間に配置される。したがって、各ＬＥＤ５Ｒ，５Ｇ，５Ｂから発光された光は、それぞれコリメートレンズ２５Ｒ，２５Ｇ，２５Ｂに入射する。
【００２６】
各コリメートレンズ２５Ｒ，２５Ｇ，２５Ｂに入射した各ＬＥＤ５Ｒ，５Ｇ，５Ｂから発光され、各コリメートレンズ２５Ｒ，２５Ｇ，２５Ｂに入射した光は、各コリメートレンズ２５Ｒ，２５Ｇ，２５Ｂによりコリメイト（平行光束）された状態でそれぞれ対応するダイクロイックミラー２６Ａ，２６Ｂに入射する。そして、ダイクロイックミラー２６Ａ，２６Ｂで光合成された光は、集光レンズ２８に入射する。集光レンズ２８により集光された光は、光ファイバー６に入射させられる。
【００２７】
光ファイバー６に入射した光は、光ファイバー６の先端から出射する。したがって、光ファイバー６の先端を身体や装置の内部に挿入することで、身体や装置の内部を照明することができる。光ファイバー６の照明域に、たとえば、撮像装置を挿入することで、照明域の映像を取得することができる。
【００２８】
ＬＥＤ５Ｒは、照明光学系３の左側に配置されている。ＬＥＤ５ＧおよびＬＥＤ５Ｂは、照明光学系３の後側に互いに左右に並置されている。そして、ＬＥＤ５ＧおよびＬＥＤ５Ｂは、第１の開口部２３の側（右側）からＬＥＤ５ＢそしてＬＥＤ５Ｇの順に配置されている。
【００２９】
各ＬＥＤ５Ｒ，５Ｇ，５Ｂにはそれぞれ背後に放熱部２９Ｒ，２９Ｇ，２９Ｂが備えられている。各放熱部２９Ｒ，２９Ｇ，２９Ｂは、複数のフィン３０を有する。各ＬＥＤ５Ｒ，５Ｇ，５Ｂから発生した熱は、各放熱部２９Ｒ，２９Ｇ，２９Ｂから筐体２内に放出される。フィン３０は、上下方向に薄い板状を呈している。そして、フィン３０は、幅広の面を水平面に平行（沿わせて）にして上下および水平に列を揃え、上下方向に流れる空気に比べて水平方向に流れる空気を上下に隣接するフィン３０の間に通し易いように配列させている。
【００３０】
（カバー４の構成）
照明光学系３は、カバー４により、上側、前側および右側を覆われている。カバー４は、上板４Ａと、前板４Ｂと、右側板４Ｃとを有する。カバー４の前板４Ｂ，右側板４Ｃのそれぞれの下端縁には、筐体２の底板２Ｅに当接する支持部４Ｄが設けられている。この支持部４Ｄがねじ等により底板２Ｅに固定されている。前板４Ｂには、集光レンズ２８から出射する光が通過する不図示の孔部が設けられている。
【００３１】
カバー４の前板４Ｂと筐体２の操作パネル２Ａとは間隙を有して配置され、この間隙が空間３２Ａとして形成されている。前板４Ｂに形成される不図示の孔部から出射し、光ファイバー６に入射する光の光路は、光路カバー３３により覆われている。したがって、集光レンズ２８から光ファイバー６に入射するまでの光路は空間３２Ａに露出しない。光路カバー３３の高さは、カバー４の高さの概ね半分程度であり、光路カバー３３の左右の空間３２Ａは連通している。また、カバー４の右側板４Ｃと筐体２の右側板２Ｃとは間隙を有して配置され、この間隙が空間３２Ｂとして形成されている。また、筐体２に不図示の上蓋を取り付けた状態で、カバー４の上板４Ａと該上蓋との間には間隙が形成され、この間隙が空間３２Ｃとして形成される。
【００３２】
カバー４の上板４Ａの左端縁には隔壁３４が設けられている。隔壁３４は、上板４Ａの左端縁が上方に立ち上げられ、この立ち上げ部が隔壁３４として形成されている。カバー４の上板４Ａの後端縁には隔壁３５が設けられている。隔壁３５は、上板４Ａの後端縁が上方に立ち上げられ、この立ち上げ部が隔壁３５として形成されている。隔壁３４の前後方向の幅Ｗ１（図２参照）は、ＬＥＤ５Ｒに備えられる放熱部２９Ｒの前後方向の幅に亘る幅を有する。つまり、上板４Ａの左縁部の前側は隔壁３４が無い。隔壁３５の左右方向の幅Ｗ２（図２参照）は、上板４Ａの左右方向の幅の全域に亘る幅を有する。隔壁３４および隔壁３５の高さは、筐体２に不図示の上蓋を取り付けたときに、隔壁３４，３５の上端縁を該上蓋の下面に当接させるか、あるいは極めて接近させるように設定されている。これにより該上蓋と隔壁３４，３５の上端縁の間を空気が流れ難くなっている。
【００３３】
（冷却流路）
筐体２内には、隔壁３６と、隔壁３７と、隔壁３８とが備えられている。隔壁３６，３７，３８の高さは、筐体２に不図示の上蓋を取り付けたときに、隔壁３６，３７，３８の上端縁を該上蓋の下面に当接させるか、あるいは極めて接近させるように設定されている。これにより、該上蓋と隔壁３６，３７，３８の上端縁の間を空気が流れ難くなっている。また、隔壁３７の左端縁と隔壁３８との間には間隙３９が形成されている。
【００３４】
隔壁３６は、右側板２Ｃの内側（左側）の空間を、第１の開口部２３に対応する空間と第２の開口部２４に対応する空間とに仕切る位置に配置されている。また、隔壁３８は、後板２Ｄの内側（前側）の空間を、第１の冷却ファン１０に対応する空間と、第２の冷却ファン１１に対応する空間とに仕切る位置に配置されている。筐体２内に隔壁３６，３７，３８が設けられることにより、第１の冷却ファン１０および第２の冷却ファン１１が駆動された場合に、２つの大きな空気の流れ（流路）を形成する空間が形成される。
【００３５】
１つの流路は、第１の冷却流路４０である。この第１の冷却流路４０は、空間４０Ａと空間４０Ｂとにより形成される。空間４０Ａは、隔壁３５および隔壁３６と隔壁３７との間の空間である。空間４０Ｂは、隔壁３７と隔壁３８との間の空間である。第１の冷却流路４０内の空気の流れ４１（図１参照）は、右側板２Ｃの外部に連通する第１の開口部２３から流入し空間４０Ａを通り、隔壁３７と隔壁３８との間の間隙３９を抜け、さらに、空間４０Ｂを通り、そして、第１の冷却ファン１０から筐体２の外側に排気される流れである。すなわち、第１の冷却流路４０は、筐体２の右側板２Ｃの外部と後板２Ｄの外部とを連通している。第１の冷却流路４０には、第１の組みとしてのＬＥＤ５ＢおよびＬＥＤ５Ｇの放熱部２９Ｂ，２９Ｇが配置される。
【００３６】
隔壁３７は、右側板２Ｃ側から左方に進むに従って前方に向かって傾斜する傾斜壁３７Ａを有している。したがって、空間４０Ａは、前後方向の幅が右方から左方に向かって狭くなる縮小部４０ＡＡと、縮小部４０ＡＡの幅の最も狭い部分に繋がる狭幅部４０ＡＢとを有する。放熱部２９Ｂ，２９Ｇは、狭幅部４０ＡＢ内に配置されている。
【００３７】
他の１つの流路は、第２の冷却流路４２（図１参照）である。この第２の冷却流路４２は、第２の開口部２４側から順に、空間３２Ｂと、空間３２Ａおよび空間３２Ｃと、空間４３とにより形成される。第２の冷却流路４２内の空気の流れ４４は、第２の開口部２４から空間３２Ｂを通り空間３２Ａを抜け、カバー４および隔壁３８の左側の空間４３を通り、そして、第２の冷却ファン１１から筐体２の外側に排気される流れである。
【００３８】
また、空間３２Ｂ内の流れ４４の一部は、分流４４Ａとして空間３２Ｃを通って空間４３に流れ込む。すなわち、第２の冷却流路４２は、第１の冷却流路４０の前側および左側を通り、右側板２Ｃの外部と後板２Ｄの外部とを連通している。分流４４Ａが形成されることで、流れ４４を空間３２Ａのみに通す場合に比べて、第２の開口部２４から空間４３に流れる空気の量を多くすることができ、電源８および回路部９の冷却効率を上げることができる。第２の冷却流路４２には、第２の組みとしてのＬＥＤ５Ｒおよび電源８が配置されている。
【００３９】
カバー４の上板４Ａには隔壁３４が設けられている。したがって、空間３２Ｃを通る分流４４Ａは、上板４Ａから放熱部２９Ｒの上方に流れることなく、隔壁３４に沿って前方に流れ空間４３に流れ込み、放熱部２９Ｒの前方から放熱部２９Ｒに流れる。
【００４０】
隔壁３６と隔壁３５とにより、空間４０Ａと空間３２Ｂ，３２Ｃとは仕切られている。したがって、第１の開口部２３から流れ込んだ空気の流れ４１は空間４０Ａを流れ、また、第２の開口部２４か流れ込んだ空気の流れ４４は空間３２Ｂから空間３２Ａおよび空間３２Ｃを流れ空間４３に流れる。
【００４１】
隔壁３８により空間４０Ｂと空間４３とは仕切られている。したがって、第１の開口部２３から流れ込み空間４０Ａを流れる空気の流れ４１は第１の冷却ファン１０から後板２Ｄの後方に排出される。また、第２の開口部２４から流れ込み空間３２Ａ，３２Ｂ，３２Ｃおよび空間４３を流れる空気の流れ４４は、第２の冷却ファン１１から後板２Ｄの後方に排出される。
【００４２】
（照明装置１の安全制御動作について）
照明装置１は、図４に示すように、各ＬＥＤ５Ｒ，５Ｇ，５Ｂには、それぞれ温度センサー１２Ｒ，１２Ｇ，１２Ｂが備えられている。温度センサー１２Ｒ，１２Ｇ，１２Ｂとしては、たとえば、サーミスタを用いることができる。第１の冷却ファン１０には、冷却ファン回転検出センサー１３Ａが備えられ、また、第２の冷却ファン１１には、冷却ファン回転検出センサー１３Ｂが備えられている。冷却ファン回転検出センサー１３Ａ，１３Ｂとしては、たとえば、投受光部を備える光センサーを用いることができる。
【００４３】
温度センサー１２Ｒ，１２Ｇ，１２Ｂは、各ＬＥＤ５Ｒ，５Ｇ，５Ｂの温度を直接あるいは間接的に検出する。マイクロコンピュータ１４は、温度センサー１２Ｒ，１２Ｇ，１２Ｂにより検出された温度に基づいて、所定の温度を超えたＬＥＤについて発光を中止する。該所定の温度は、ＬＥＤの熱破壊温度に到達する前の異常な高温である。該所定の温度を超えたＬＥＤについて発光を中止することで、ＬＥＤの熱破壊を防止できる。
【００４４】
マイクロコンピュータ１４は、冷却ファン回転検出センサー１３Ａ，１３Ｂの検出信号に基づいて、冷却ファンが停止していることを検出した場合に、各冷却ファン回転検出センサー１３Ａ，１３Ｂに対応する冷却流路に配置されているＬＥＤの発光を中止する。つまり、冷却ファン回転検出センサー１３Ａの回転停止が検出された場合には、ＬＥＤ５ＧおよびＬＥＤ５Ｂの発光を中止する。これにより、ＬＥＤ５Ｇ，５Ｂの熱破壊を防止することができる。また、冷却ファン回転検出センサー１３Ｂの回転停止が検出された場合には、ＬＥＤ５Ｒの発光を中止する。これにより、ＬＥＤ５Ｒの熱破壊を防止することができる。
【００４５】
マイクロコンピュータ１４は、冷却ファン回転検出センサー１３Ａ，１３Ｂにより、冷却ファンの回転が所定の回転速度を下回ったときに、所定の回転速度を下回った冷却ファンに対する冷却流路に配置されているＬＥＤの発光を中止することとしてもよい。所定の回転速度とは、各ＬＥＤ５Ｒ，５Ｇ，５Ｂが熱破壊しないように温度上昇を抑えることができる回転速度である。
【００４６】
（本発明の実施の形態の主な効果）
上述の本実施の形態における照明装置１は、物の内部に挿入される光ファイバー６に照明光を入射させる装置であり、複数の光源であるＬＥＤ５ＲとＬＥＤ５ＧとＬＥＤ５Ｂと、ＬＥＤ５Ｒ，５Ｇ，５Ｂから発光された光を合成し光ファイバー６に入射させる照明光学系３と、ＬＥＤ５ＧおよびＬＥＤ５Ｂに対して備えられる第１の冷却流路４０と、ＬＥＤ５Ｒに対して備えられる第２の冷却流路４２と、第１の冷却流路４０に対して備えられる第１の冷却ファン１０と、第２の冷却流路４２に対して備えられる第２の冷却ファン１１とを有する。照明光学系３は、光合成光学系としてダイクロイックミラー２６Ａ，２６Ｂを有する平行四辺形プリズム２７を有する。
【００４７】
照明装置１の光ファイバー６は、たとえば、身体の内部に挿入される。そして、身体内に挿入された光ファイバー６の先端から出射する照明光を頼りに手術等の諸処置が行われる。そのため、光ファイバー６が身体内に挿入されているときに照明が全く消失されてしまう事態に陥ると、諸処置の遂行はもとより、諸処置を中断して安全に手術機器や光ファイバー６を身体外に取り出す緊急処置の遂行も困難になってしまう虞がある。しかしながら、照明装置１を上述のように構成することで、照明光の瞬間的な暗転も含め、照明光が全消失してしまう危険を低減することができる。
【００４８】
照明装置１は、光源としてのＬＥＤ５Ｒ，５Ｇ，５Ｂを、ＬＥＤ５Ｒ（の組み）と、ＬＥＤ５Ｇ，５Ｂの組みとに分け、ＬＥＤ５Ｇ，５Ｂの組みに対しては第１の冷却流路４０を備え、ＬＥＤ５Ｒ（の組み）に対しては第２の冷却流路４２を備えている。そして、第１の冷却流路４０に第１の冷却ファン１０を備え、第２の冷却流路４２に第２の冷却ファン１１を備えている。すなわち、各冷却流路それぞれに冷却ファンが備えられている。これにより、何れか一方の冷却ファンの排気能力が低下し、この冷却ファンに対する冷却流路に備えられるＬＥＤが仮に熱破壊し照明が消失されたとしても、他方の冷却ファンに対応する冷却流路に備えられるＬＥＤは正常に動作することができる。つまり、ファイバー６の照明が完全に消失しまう危険性を低減できる。
【００４９】
また、他方の冷却ファンに対応する冷却流路に備えられるＬＥＤは、一方の冷却ファンに対応する冷却流路に備えられるＬＥＤの熱破壊の有無に拘わらず点灯を継続している。そのため、一方の冷却ファンに対応する冷却流路に備えられるＬＥＤが熱破壊したとしても、この熱破壊に起因して照明が一瞬暗転してしまうという危険もない。
【００５０】
照明装置１においては、ＬＥＤ５Ｒに対して温度センサー１２Ｒが備えられ、ＬＥＤ５Ｇに対して温度センサー１２Ｇが備えられ、また、ＬＥＤ５Ｂに対して温度センサー１２Ｂが備えられている。そして、照明装置１は、各温度センサーにより検出される温度に基づいて、各ＬＥＤ５Ｒ，５Ｇ，５Ｂの光量を調整する光量調整手段としてのマイクロコンピュータ１４を備えている。
【００５１】
各温度センサーにより検出される温度が、ＬＥＤの熱破壊を招く異常な高温である場合には、マイクロコンピュータ１４は、異常な高温になったＬＥＤについて、消灯あるいは発光量を低下させこのＬＥＤの熱破壊を防止する。照明装置１は、各ＬＥＤ５Ｒ，５Ｇ，５Ｂそれぞれについて温度センサーを備え、マイクロコンピュータ１４は、温度センサーにより検出される温度に基づいて、各ＬＥＤ５Ｒ，５Ｇ，５Ｂの発光量を個別に制御する。したがって、ＬＥＤ５Ｒ，５Ｇ，５Ｂが全て同時に消灯してしまうことの危険を低減できる。
【００５２】
また、照明装置１においては、第１の冷却ファン１０に冷却ファン回転検出センサー１３Ａが備えられ、また、第２の冷却ファン１１に冷却ファン回転検出センサー１３Ｂが備えられている。そして、照明装置１は、各冷却ファン回転検出センサー１３Ａ，１３Ｂにより検出される冷却ファンの回転状態に基づいて、各冷却ファンに対して備えられる冷却流路に備えられる各ＬＥＤ５Ｒ，５Ｇ，５Ｂの光量を調整する光量調整手段としてのマイクロコンピュータ１４を備えている。
【００５３】
各冷却ファン回転検出センサー１３Ａ，１３Ｂにより冷却ファンの回転に異常が検出された場合に、マイクロコンピュータ１４は、回転に異常が生じた冷却流路に配置されているＬＥＤについて、消灯あるいは発光量を低下させこのＬＥＤの熱破壊を防止する。冷却ファンの回転に異常とは、ファンの回転の停止あるいはファンの回転が所定の回転速度未満になった状態である。照明装置１は、冷却ファン１０に冷却ファン回転検出センサー１３Ａが備えられ、また、冷却ファン１１に冷却ファン回転検出センサー１３Ｂが備えられている。各冷却ファン回転検出センサー１３Ａ，１３Ｂにより検出される回転速度に基づいて、各ＬＥＤ５Ｒ，５Ｇ，５Ｂの発光量を個別に制御する。したがって、ＬＥＤ５Ｒ，５Ｇ，５Ｂが同時に消灯してしまうことの危険性を低減できる。
【００５４】
マイクロコンピュータ１４は、各ＬＥＤ５Ｒ，５Ｇ，５Ｂの発光量の制御を冷却流路毎に行うようにしてもよい。つまり、照明装置１においては、第１の冷却流路４０に配置される  ＬＥＤ５ＧあるいはＬＥＤ５Ｂいずれか一方の温度が異常な高温になった場合には、マイクロコンピュータ１４は、第１の冷却流路４０に配置されるＬＥＤ５ＧおよびＬＥＤ５Ｂの光量を共に低くする制御を行う。
【００５５】
照明装置１のＬＥＤ５Ｒ，５Ｇ，５Ｂは、ＬＥＤ５ＧとＬＥＤ５Ｂとの第１の組みと、ＬＥＤ５Ｒの第２の組みとに分けられ、ＬＥＤ５Ｒが配置される第２の冷却流路４２内に電源８が配置されている。
【００５６】
照明装置１は、ＬＥＤの他に、電源８の冷却を行う必要がある。ＬＥＤ５Ｒ，５Ｇ，５Ｂの発熱量は、ＬＥＤ５Ｇが一番大きく、次にＬＥＤ５Ｒであり、そしてＬＥＤ５Ｂの順である。したがって、２つの冷却流路で冷却を行う組み合わせとして、ＬＥＤ５ＧとＬＥＤ５Ｂとを組み合わせ、電源８とＬＥＤ５Ｒとを組み合わせることで、各組みの発熱量の差が小さくなる。すなわち、各組みの熱的な負荷が同程度に近づく。各組みの熱的な負荷を同程度に近づけることで、どちらか一方の組みのＬＥＤあるいは電源だけが熱破壊し易くなることを防止できる。これにより、ＬＥＤ５Ｒ，５Ｇ，５Ｂが同時に消灯してしまうことの危険性を低減できる。
【００５７】
照明装置１は、ＬＥＤ５Ｒ，５Ｇ，５Ｂ、電源８および照明光学系３が収納される筐体２を有する。筐体２内には、第１の組みであるＬＥＤ５Ｇ，５Ｂに備えられる放熱部２９Ｇ，２９Ｂが配置される第１の冷却流路４０と、第２の組みであるＬＥＤ５Ｒに備えられる放熱部２９Ｒおよび電源８が配置される第２の冷却流路４２とが形成されている。第１の冷却流路４０は、照明光学系３に対してファイバー取付部７が配置される側を前側としたとき、筐体２の右側板２Ｃの外部と筐体２の後板２Ｄの外部とを連通するように照明光学系３の後側に配置されている。第２の冷却流路４２は、第１の冷却流路４０の前側および左方を通り右側板２Ｃの外部と後板２Ｄの外部とを連通するように配置されている。そして、筐体２の後板２Ｄには、第１の冷却流路４０に対して備えられる第１の冷却ファン１０と、第２の冷却流路４２に対して備えられる第２の冷却ファン１１とが備えられている。また、筐体２の右側板２Ｃには、第１の冷却流路４０に対して備えられる吸気用の第１の開口部２３と、第２の冷却流路４２に対して備えられる第２の開口部２４とが備えられている。
【００５８】
第１の冷却流路４０は、筐体２の右側板２Ｃの外部と筐体２の後板２Ｄの外部とを連通するように照明光学系３の後側に配置される。また、第２の冷却流路４２は、第１の冷却流路４０の前側および左方を通り右側板２Ｃの外部と後板２Ｄの外部とを連通する配置となっている。したがって、第１の冷却流路４０の流路長は、第２の冷却流路４２の流路長に比べて短い。これにより、第１の冷却流路４０の冷却効率を、第２の冷却流路４２の冷却効率に比べて高くすることができる。ＬＥＤ５Ｇは、他のＬＥＤ５Ｒ，５Ｂに比べて発熱量が大きく、最も熱破壊が起こり易い。そのため、第１の冷却流路４０にＬＥＤ５Ｇの放熱部２９Ｇを配置することで、ＬＥＤ５Ｇの熱破壊を効果的に防ぐことができる。これにより、ＬＥＤ５Ｒ，５Ｇ，５Ｂが同時に消灯してしまうことの危険性を低減できる。
【００５９】
また、各冷却流路にそれぞれ開口部と冷却ファンを備えることで、各冷却流路の冷却効率を高めることができる。
【００６０】
第１の冷却流路４０は、右側板２Ｃから放熱部２９Ｂおよび放熱部２９Ｇが配置される方向、すなわち空気の流れる方向に進むに従って、後方から前方（後方から放熱部２９Ｂ，２３Ｇが配置される側）に向かって、冷却流路の前後方向の幅が狭くなる縮小部４０ＡＡを有する。
【００６１】
このように空気の流れの方向に従って、第１の冷却流路４０の幅を狭くすることで、放熱部２９Ｂ，２９Ｇに流れる空気の密度を高くすると共に流速を速くすることができ、冷却効率を向上させることができる。これにより、ＬＥＤ５Ｒ，５Ｇ，５Ｂが同時に消灯してしまうことの危険性を低減できる。
【００６２】
照明光学系３は、各ＬＥＤ５Ｒ，５Ｇ，５Ｂから出射した光の入射部および平行四辺形プリズム２７から出射した光の出射部を除きカバー４に覆われている。そして、カバー４の上板４Ａと筐体２の操作パネル２Ａの背面との間には空間３２Ａが形成されている。
【００６３】
照明光学系３は、各ＬＥＤ５Ｒ，５Ｇ，５Ｂから発光された光が合成される平行四辺形プリズム２７が備えられている。したがって、特に平行四辺形プリズム２７の部分は温度が上がり易い。そのため、照明光学系３をカバー４で覆い、空間３２Ｂから空間４３に流れる空気が、照明光学系３の中を通らないようにし、空間３２Ａを通って空間４３に流れるようにする。これにより、空間４３に流れ込む空気は、照明光学系３の発熱により暖められ難くなる。つまり、放熱部２９Ｒ、電源８および回路部９の冷却効率を上げることができる。
【００６４】
集光レンズ２８により集光されファイバー６に入射するまでの光路は、光が集光（収束）されているため極めて高温になる。前板４Ｂに形成される不図示の孔部から出射し、光ファイバー６に入射する光の光路は光路カバー３３により覆われ、集光レンズ２８から光ファイバー６に入射するまでの光路は空間３２Ａに露出しない。そのため、空間３２Ａを流れる空気が、集光レンズ２８により集光された光により暖められてしまうことを防止でき、空間４３に流れる空気は暖められ難くなる。つまり、放熱部２９Ｒ、電源８および回路部９の冷却効率を上げることができる。これにより、ＬＥＤ５Ｒ，５Ｇ，５Ｂが同時に消灯してしまうことの危険性を低減できる。
【００６５】
カバー４の上板４Ａの上面の後端縁には、上方に突出する隔壁３５が設けられている。
【００６６】
隔壁３５が設けられることで、第１の冷却流路４０と第２の冷却流路４２とがより確実に仕切られ、一方の冷却流路から他方の冷却流路への空気の流れ込みを抑えることができ、各冷却流路の独立性が向上する。このため、いずれか一方の冷却流路が高温になっても他方の冷却流路に高温になった空気が流れ込み難く、他方の冷却流路内のＬＥＤの熱破壊を予防できる。これにより、ＬＥＤ５Ｒ，５Ｇ，５Ｂが同時に消灯してしまうことの危険性を低減できる。
【００６７】
カバー４の上板４Ａの上面のＬＥＤ５Ｒの配置される側である左側の側端縁には、ＬＥＤ５Ｒに備えられる放熱部２９Ｒの前後方向の幅に亘って上方に突出する隔壁３４が設けられている。
【００６８】
隔壁３４が設けられることで、上板４Ａの上方の空間３２Ｃを流れる空気は、上板４Ａから放熱部２９Ｒの上方に流れることなく、隔壁３４に沿って前方に流れ放熱部２９Ｒの前方から空間４３に流れ込む。そのため、空間４３内に全体として前方から後方に流れる空気の流れができる。放熱部２９Ｒのフィン３０は、水平方向に空気が流れ易い配置となっている（図１（Ａ）参照）。そのため、空間４３内を前方から後方に空気を流すことで、放熱部２９Ｒの放熱効果を向上させることができ、ＬＥＤ５Ｒの熱破壊を防止できる。これにより、ＬＥＤ５Ｒ，５Ｇ，５Ｂが同時に消灯してしまうことの危険性を低減できる。
【００６９】
上述の実施の形態に示す照明装置１は、第１の冷却流路４０にＬＥＤ５Ｇ，５Ｂを配置し、また、第２の冷却流路４２にＬＥＤ５Ｒを配置する構成となっている。ＬＥＤの配置はこれに限らず、ダイクロイックミラー２６Ａ，２６Ｂの分光特性を適宜に変更することで、第１の冷却流路４０にＬＥＤ５Ｒ，５Ｂを配置し、第２の冷却流路４２にＬＥＤ５Ｇを配置することも、あるいは、第１の冷却流路４０にＬＥＤ５Ｒ，５Ｇを配置し、第２の冷却流路４２にＬＥＤ５Ｂを配置することもできる。
【００７０】
しかしながら、第１の冷却流路４０にＬＥＤ５Ｇ，５Ｂを配置し、また、第２の冷却流路４２にＬＥＤ５Ｒを配置する構成が、電源８を含めて各冷却流路に配置される熱源の発熱量を各冷却流路で同程度に近づけることができる。これにより、各冷却流路の熱的な負荷を同程度にすることができ、どちらか一方の冷却流路に配置されるＬＥＤあるいは電源だけが熱破壊し易くなることを防止できる。
【００７１】
上述の実施の形態に示す照明装置１のＬＥＤ５ＧとＬＥＤ５Ｂとは、ＬＥＤ５Ｇの方がＬＥＤ５Ｂに対して、第１の冷却流路４０の空気の流れの下流に配置されている。ＬＥＤ５ＧとＬＥＤ５Ｂとの配置は、これに限らず、ＬＥＤ５Ｂの方をＬＥＤ５Ｇに対して、第１の冷却流路４０の空気の流れの下流に配置してもよい。
【００７２】
しかしながら、ＬＥＤ５Ｂに比べて発熱量の大きなＬＥＤ５ＧをＬＥＤ５Ｂの上流に配置すると、ＬＥＤ５Ｂの放熱が不十分になり易く、ＬＥＤ５Ｂが熱破壊し易くなる。ＬＥＤ５ＧをＬＥＤ５Ｂの上流に配置した場合には、ＬＥＤ５Ｂの発熱量はＬＥＤ５Ｇに比べてはるかに少ない。そのため、ＬＥＤ５ＧをＬＥＤ５Ｂの下流に配置しても、ＬＥＤ５Ｂの発熱はＬＥＤ５Ｇの放熱に大きな影響を与えない。したがって、ＬＥＤ５ＧをＬＥＤ５Ｂの上流に配置する構成に比べて、ＬＥＤ５ＧをＬＥＤ５Ｂの下流に配置する構成の方が、ＬＥＤ５Ｇ，５Ｂの熱破壊の危険を少なくできる。
【００７３】
上述の実施の形態に示す照明装置１は、右側板２Ｃに第１の開口部２３および第２の開口部２４が配置され、全体として筐体２の右側に第１の冷却流路４０が配置され、左側に第２の冷却流路４２が配置されている。しかしながら、照明装置１は、第１の開口部２３および第２の開口部２４を左側板２Ｂの側に配置する構成としてもよい。かかる構成とした場合には、照明装置１の全体的な構成が、平面視において左右が反転した構成となる。つまり、ＬＥＤ５Ｒが照明光学系３の右側に配置され、筐体２の左側に第１の冷却流路４０が配置され、右側に第２の冷却流路４２が配置されることになる。
【００７４】
上述の実施の形態に示す照明装置１に備えられる第１の冷却ファン１０および第２の冷却ファン１１は、筐体２内の空気を排出する排気ファンとして機能している。しかしながら、第１の冷却ファン１０および第２の冷却ファン１１を吸気ファンとしてもよい。
【００７５】
第１の冷却ファン１０および第２の冷却ファン１１を吸気ファンとした場合には、第１の冷却ファン１０および第２の冷却ファン１１から筐体２内に吸気した空気は、第１の開口部２３および第２の開口部２４から排出される。
【００７６】
また、第１の冷却ファン１０および第２の冷却ファン１１を吸気ファンとした場合には、第１の冷却ファン１０および第２の冷却ファン１１と、第１の開口部２３および第２の開口部２４との配置を入れ替える構成としてもよい。すなわち、右側板２Ｃに第１の冷却ファン１０および第２の冷却ファン１１を配置し、後板２Ｄに第１の開口部２３および第２の開口部２４する。
【００７７】
（ＬＥＤの交換を容易にするための構成）
ＬＥＤが損傷した場合には、ＬＥＤを交換する必要がある。照明装置１は、３つのＬＥＤ５Ｒ，５Ｇ，５Ｂから発光される光をダイクロイックミラー２６Ａ，２６Ｂで合成し、合成した光を光ファイバー６の極めて小さな入射開口に入射させる必要がある。そのため、各ＬＥＤ５Ｒ，５Ｇ，５Ｂと各コリメートレンズ２５Ｒ，２５Ｇ，２５Ｂとの位置関係と、さらに、集光レンズ２８と光ファイバー６の入射開口との位置関係とに、それぞれに高い位置合わせの精度が要求される。
【００７８】
そこで、照明装置１は、各ＬＥＤ５Ｒ，５Ｇ，５Ｂと、各コリメートレンズ２５Ｒ，２５Ｇ，２５Ｂと、平行四辺形プリズム２７とを１つのユニットとして交換する構成としている。かかる構成とすることで、ＬＥＤの交換時に、ＬＥＤとコリメートレンズとの位置合わせが不要となる。また、集光レンズ２８よりも光源側（ＬＥＤ側）の光学系を取り換える構成としているため、集光レンズ２８と光ファイバー６の入射開口との位置関係については照明装置１の製造時の状態を保持できる。
【００７９】
（集光レンズ２８の集光部に対する光ファイバー６の光入射端の位置調整の機構）
図５に示すように、光ファイバー６は、複数の光ファイバーが束ねられたファイバー束を有し、ファイバー束の周囲は保護部材６Ｂにより被覆されている。光ファイバー６の導光部の直径を太くする（たとえば、束ねる光ファイバーの本数を多くする）ことにより、光ファイバー６から出射する照明光の照明範囲を広くすることができる。
【００８０】
しかしながら、集光レンズ２８により集光された光は、光束の中心ほど照度が高く、中心と周囲との照度の差は、集光位置に近いほど大きくなる。そのため、導光部の直径を太くした光ファイバー６の場合、光の入射端（光入射端）６Ａを集光レンズ２８により集光された光の集光位置の近傍に配置すると、光束の中心に近い光が入射する光ファイバーから出射する光ほど照度が高くなる。そのため、被照射面の照度分布に照明範囲の中心と周囲とで大きな差が生じ易い。
【００８１】
そこで、光ファイバー６の直径（導光部の直径）の太さに応じて、集光レンズ２８による光の集光位置に対する光ファイバー６の光入射端の前後方向（光軸方向）の位置を変える構成としてもよい。光ファイバー６の光入射端が、集光位置から前後に離れるに従って、光ファイバー６に入射する光の照度分布は均一化され、被照射面の照度分布も均一化される。
【００８２】
照明装置１のファイバー取付部７は、図５の左欄（Ａ）と右欄（Ｂ）とに示すように、直径の異なる光ファイバー６を取り付けることができるように構成されている。図５（Ａ）（Ｂ）は、光ファイバー６が取り付けられたファイバー取付部７の断面の概略の構成を示す図である。図５（Ａ）は、直径の太い光ファイバー６がファイバー取付部７に取り付けられた状態を示す。図５（Ｂ）は、直径の細い光ファイバー６がファイバー取付部７に取り付けられた状態を示す。
【００８３】
図５（Ａ）（Ｂ）に示すように、ファイバー取付部７には、ファイバー挿入部５０が設けられている。ファイバー挿入部５０は、円筒状の孔部であり光ファイバー６が挿入される。光ファイバー６は、後端側（光入射端側）をファイバー挿入部５０に挿入されることで、ファイバー取付部７に取り付けられる。ファイバー取付部７には、ファイバー挿入部５０の内側に突出するボール５１が備えられている。ボール５１は、ファイバー挿入部５０の内周の周方向に均等の配置で複数個備えられている。
【００８４】
一方、図５（Ａ）に示すように、光ファイバー６の保護部材６Ｂの外周には凹部５２が形成されている。凹部５２は、保護部材６Ｂの周方向に沿って形成される環状の溝である。したがって、光ファイバー６を後端側からファイバー挿入部５０内に挿入すると、凹部５２にボール５１が嵌合し、この嵌合により光ファイバー６がファイバー取付部７に固定される。すなわち、ボール５１と凹部５２とによりボールロック機構が構成されている。
【００８５】
図５（Ｂ）に示すように、直径の細い光ファイバー６には、アダプタ５３が備えられている。アダプタ５３の太さは、図５（Ａ）に示す直径の太い光ファイバー６の直径と同一である。そのため、直径の細い光ファイバー６をアダプタ５３を介してファイバー取付部７に取り付けることができる。
【００８６】
アダプタ５３の周囲には凹部５４が形成されている。凹部５４は、凹部５２と同様にアダプタ５３の周方向に沿って形成される環状の溝である。したがって、光ファイバー６に備えられるアダプタ５３を後端側からファイバー挿入部５０内に挿入すると、凹部５４にボール５１が嵌合し、この嵌合により光ファイバー６がファイバー取付部７に固定される。すなわち、ボール５１と凹部５４とによりボールロック機構が構成されている。
【００８７】
図５（Ａ）に示す光ファイバー６の光入射端６Ａと凹部５２との距離は、図５（Ｂ）に示す光ファイバー６の光入射端６Ａと凹部５４との距離に比べて短い。図５（Ｂ）に示す光ファイバー６の光入射端６Ａと凹部５４との距離は、光ファイバー６をファイバー取付部７に取り付けた状態で、光ファイバー６の光入射端６Ａが集光レンズ２８により集光さる光の集光位置の近傍に配置されるように設定されている。したがって、図５（Ｂ）に示す光ファイバー６からは、照度の高い照明光を出射させることができる。
【００８８】
一方、図５（Ａ）に示す光ファイバー６の光入射端６Ａと凹部５２との距離は、図５（Ｂ）に示す光ファイバー６に比べて集光位置からの距離が長くなるように設定されている。したがって、光ファイバー６には集光状態が広がった光が入射する。そのため、光ファイバー６の直径が太くなっても、一部の光ファイバーに高い照度の光が集中して入射することを防止できる。これにより、光ファイバー６から出射する照明光の照明範囲を広くしながら被照明面の照度分布の均一化を図ることができる。
【００８９】
なお、図５（Ｂ）に示す光ファイバー６は、固定環５５によりアダプタ５３に対して固定されている。固定環５５は、アダプタ５３に対してネジ部５６にねじ結合される。固定環５５をネジ部５６にねじ結合し結合量を増やして行くと、Ｏリング５７が圧縮され、圧縮されたＯリング５７により光ファイバー６がアダプタ５３に対して固定される。したがって、固定環５５のネジ部５６へのねじ結合とその解除により、光ファイバー６をアダプタ５３に対して着脱することができる。
【符号の説明】
【００９０】
１  …  照明装置
２  …  筐体
２Ｃ  …  右側板（筐体の側面）
２Ｄ  …  後板（筐体の後面）
３  …  照明光学系
４Ａ  …  上板（上面）
５Ｒ  …  赤色ＬＥＤ（光源）
５Ｇ  …  緑色ＬＥＤ（光源）
５Ｂ  …  青色ＬＥＤ（光源）
６  …  光ファイバー
８  …  電源
１０  …  第１の冷却ファン（冷却ファン）
１１  …  第２の冷却ファン（冷却ファン）
１２Ｒ，１２Ｇ，１２Ｂ  …  温度センサー
１３Ａ，１３Ｂ  …  回転センサー
１４  …  マイクロコンピュータ（光量調整手段）
２３  …  第１の開口部
２４  …  第２の開口部
２７  …  平行四辺形プリズム（光合成光学系）
２９Ｒ  …  赤色ＬＥＤに備えられる放熱部
３２Ａ  …  空間
３４  …  隔壁
３５  …  隔壁
４０  …  第１の冷却流路（冷却流路）
４０ＡＡ  …  縮小部
４２  …  第２の冷却流路（冷却流路）
【図１】
2016122496.tif 000003
【図２】
2016122496.tif 000004
【図３】
2016122496.tif 000005
【図４】
2016122496.tif 000006
【図５】
2016122496.tif 000007